(57)【要約】【課題】簡単な構成で、環境に悪影響を与えたり制約を受けたりすることなくゴミ箱に有用な機能を付与させて高付加価値化を実現できると同時に、メンテナンスも簡単に行えるゴミ箱装置を提供する。【解決手段】縦に立てて配置されて周囲を囲む周壁を有し上面側を開口１８して内部空間にゴミを収容するゴミ箱本体１２と、ゴミ箱本体１２と別体に形成された屋根型ユニットであり、ゴミ箱本体１２に着脱可能に支持されゴミ箱本体の開口１８の真上の離隔位置に配置されて平面視でゴミ箱本体の開口１８を覆うように配置された屋根型ユニット１４と、を備え、ゴミ箱本体の開口１８の真上離隔位置に屋根型ユニット１２が配置されて形成される間隙はゴミ箱本体の略全周に渡って設けられており、この全周間隙がゴミの投入間隙４０とされ、さらに、屋根型ユニット１２の上面側に太陽光パネル１６を設置し一体化したことを特徴とするゴミ箱装置１０から構成される。【選択図】図１
0003151859.tif 000002
【実用新案登録請求の範囲】
【請求項１】
縦に立てて配置されて周囲を囲む周壁を有し上面側を開口して内部空間にゴミを収容するゴミ箱本体と、
ゴミ箱本体と別体に形成された屋根型ユニットであり、ゴミ箱本体に着脱可能に支持されゴミ箱本体の開口の真上の離隔位置に配置されて平面視でゴミ箱本体の開口を覆うように配置された屋根型ユニットと、を備え、
ゴミ箱本体の開口の真上離隔位置に屋根型ユニットが配置されて形成される間隙はゴミ箱本体の略全周に渡って設けられており、この全周間隙がゴミの投入間隙とされ、
さらに、屋根型ユニットの上面側に太陽光パネルを設置し一体化したことを特徴とするゴミ箱装置。
【請求項２】
ゴミ箱本体から立ち上がる１個又は複数の支持脚により屋根型ユニットが支持されており、
該支持脚と屋根型ユニットとの接続部が枢着部とされて屋根型ユニット全体が回動可能となっていることを特徴とする請求項１記載のゴミ箱装置。
【請求項３】
屋根型ユニットは、平板状の基盤を含み、
支持脚との枢着部を介して基盤の角度を調整する角度調整機構を形成する請求項２記載のゴミ箱装置。
【請求項４】
ゴミ箱本体は、周囲を囲む周壁が複数の竹材で形成された請求項１ないし３のいずれかに記載のゴミ箱装置。
【請求項５】
ゴミ箱本体の開口縁の内部に、支持脚を着脱嵌合状に受ける受部が設けられた請求項２ないし４のいずれかに記載のゴミ箱装置。
【請求項６】
ゴミ箱本体は、底壁を有さず、周壁で上下両端開口の筒状に構成された筒状外郭体と、
筒状外郭体の内部空間に配置されるゴミ袋と、を含み、
ゴミ袋は、袋口を開いた状態で筒状外郭体に着脱自在に係止され、該筒状外郭体から取外し分離可能とした請求項１ないし５のいずれかに記載のゴミ箱装置。
【請求項７】
屋根型ユニットは、ゴミ箱本体に近付いた投入者を感知する人感知器と、
人感知器が投入者を感知した際に、該投入者に対してゴミ箱本体へ投入すべき分別ゴミの種類を音声で報知する分別報知器と、が一体的に組み付けられた請求項１ないし６のいずれかに記載のゴミ箱装置。
【請求項８】
屋根型ユニットは、ゴミ箱本体周辺の明るさを感知する光感知器と、
周辺が暗い際に光感知器の感知によりゴミ箱本体を照明する照明装置と、が一体的に組み付けられた請求項１ないし７のいずれかに記載のゴミ箱装置。
【考案の詳細な説明】
【技術分野】
【０００１】
本考案は、例えば、屋外、公共の場所等その他任意の場所に設置されるゴミ箱装置に関する。
【背景技術】
【０００２】
人が訪れる観光地、娯楽施設、公園、運動場或いは道路等の様々な場所には、環境美化、衛生面からゴミ箱が設置される場合が多いが、このようなゴミ箱に対して、単にゴミ入れに留まらずゴミ箱自体に様々な機能を持たせ高付加価値化する技術が提案されている（例えば、特許文献１等）。特許文献１には、内部が中空状の容器と、前記容器に設けられ該容器の内部にごみを投入するごみ投入口と、前記容器内に配設され前記ごみ投入口から投入されるごみを検知するセンサと、前記容器に設けられ前記センサからの検知信号に基づいてごみが投入されたことを投入者に知らせる報知手段と、を備えたごみ箱が提案されている。そして、特許文献１のごみ箱では、ごみを投入した際に、報知手段により音声を出したりフラッシュを光らせたりすることで、おもしろみを持ってごみ捨てが可能となり、ごみの置き去り防止を図ろうとするものであった。
【先行技術文献】
【特許文献】
【０００３】
【特許文献１】特開平８−６７３０３号公報
【考案の概要】
【考案が解決しようとする課題】
【０００４】
しかしながら、特許文献１のごみ箱では、センサやスピーカ等を駆動するために１００Ｖ電源を確保する必要があるが、電気エネルギー消費による環境負荷の問題があるとともに、電源確保のために設置場所等が制限される場合があった。また、容器内側にセンサやスピーカやフラッシュ等の部材を取り付けさらに外部１００Ｖ電源への配線等が必要なので構造が複雑化するとともに、ごみの投入や回収の際にごみがセンサやスピーカ等の部材に当たって汚れたり、壊れたりしやすいうえ、メンテナンスも行いにくい問題があった。
【０００５】
一方、世界的に、化石燃料等の枯渇や二酸化炭素の排出の問題により、あらゆる分野でクリーンエネルギーを有効利用できる技術の開発が望まれている。
【０００６】
本考案は、上記従来の課題に鑑みてなされたものであり、その一つの目的は、簡単な構成で、環境に悪影響を与えたり制約を受けたりすることなく太陽光パネルを利用してゴミ箱に有用な機能を付与させて高付加価値化を実現できると同時に、メンテナンスも行いやすいゴミ箱装置を提供することにある。
【課題を解決するための手段】
【０００７】
上記課題を解決するために本考案は、縦に立てて配置されて周囲を囲む周壁２０ａ〜２０ｄを有し上面側を開口１８して内部空間Ｓにゴミを収容するゴミ箱本体１２と、ゴミ箱本体１２と別体に形成された屋根型ユニットであり、ゴミ箱本体１２に着脱可能に支持されゴミ箱本体の開口１８の真上の離隔位置に配置されて平面視でゴミ箱本体の開口１８を覆うように配置された屋根型ユニット１４と、を備え、ゴミ箱本体の開口１８の真上離隔位置に屋根型ユニット１２が配置されて形成される間隙はゴミ箱本体の略全周に渡って設けられており、この全周間隙がゴミの投入間隙４０とされ、さらに、屋根型ユニット１２の上面側に太陽光パネル１６を設置し一体化したことを特徴とするゴミ箱装置１０から構成される。屋根型ユニット１４に、太陽光パネルから電気供給されて作動する様々な作動装置（例えば、後述の分別報知器５６や照明装置６４等）を一体的に組み付けると良い。この際太陽光パネルと各装置との間の電気配線等も比較的楽に行えるので構造を簡単にできる。太陽光パネルで発電した電気を直接に作動装置等に供給してもよいが、例えば、屋根型ユニット１４に太陽光パネル１６により発電される電気を蓄電するバッテリー４４を一体的に設置しておくと好適であり、雨天時や夜間等でも付加した作動装置等を駆動できる。また、太陽光パネルで発電した電気をゴミ箱装置とは別に設置される他の装置（例えば、街路灯、自動販売機、電光掲示板、散水機等）に電力供給するようにしてもよい。また、ゴミ箱本体１２は、例えば、強度のある外側筐体と、外側筐体の内部に着脱できる箱体やゴミ袋等からなる内側収容体と、の２重構造としてもよい。この際、外側筐体は底壁を形成した有底型の箱体状又は筒体状の構成でもよいし、底壁を形成しない底無し型の箱体状又は筒体状の構成としてもよい。ゴミ箱本体の形状は、例えば、矩形箱形状、円筒形状、その他多角形状等その他任意の形状でもよい。屋根型ユニット１４は、例えば、平板状、三角状、アーチ状等その他任意の形状でも良い。
【０００８】
また、ゴミ箱本体１２から立ち上がる１個又は複数の支持脚３８により屋根型ユニット１４が支持されており、該支持脚３８と屋根型ユニット１４との接続部が枢着部５０とされて屋根型ユニット１４全体が回動可能となっていることとしてもよい。
【０００９】
また、屋根型ユニット１４は、平板状の基盤４２を含み、支持脚３８との枢着部５０を介して基盤４２の角度を調整する角度調整機構５２を形成することとしてもよい。基盤４２は、例えばゴミ箱本体に対する設置角度が任意の角度に変更されても、ゴミ箱本体の開口１８を平面視で覆うような大きさ及び形状で形成されると好適である。
【００１０】
また、ゴミ箱本体１２は、周囲を囲む周壁が複数の竹材２４で形成されたこととしてもよい。
【００１１】
また、ゴミ箱本体の開口縁の内部に、支持脚３８を着脱嵌合状に受ける受部３４が設けられたこととしてもよい。
【００１２】
ゴミ箱本体は、底壁を有さず、周壁で上下両端開口の筒状に構成された筒状外郭体２７と、筒状外郭体の内部空間に配置されるゴミ袋２８と、を含み、ゴミ袋２８は、袋口を開いた状態で筒状外郭体２７に着脱自在に係止され、該筒状外郭体から取外し分離可能としたこととしてもよい。
【００１３】
また、屋根型ユニット１４は、ゴミ箱本体１２に近付いた投入者を感知する人感知器５４と、人感知器５４が投入者を感知した際に、該投入者に対してゴミ箱本体へ投入すべき分別ゴミの種類を音声で報知する分別報知器５６と、が一体的に組み付けられたこととしてもよい。分別報知器からの音声は、一種類のメッセージだけでもよく、複数種類のメッセージを変化させるようにしてもよく、音声内容を変更できるようにしても良い。
【００１４】
また、屋根型ユニット１４は、ゴミ箱本体周辺の明るさを感知する光感知器６２と、周辺が暗い際に光感知器６２の感知によりゴミ箱本体を照明する照明装置６４と、が一体的に組み付けられたこととしてもよい。
【考案の効果】
【００１５】
本考案のゴミ箱装置によれば、縦に立てて配置されて周囲を囲む周壁を有し上面側を開口して内部空間にゴミを収容するゴミ箱本体と、ゴミ箱本体と別体に形成された屋根型ユニットであり、ゴミ箱本体に着脱可能に支持されゴミ箱本体の開口の真上の離隔位置に配置されて平面視でゴミ箱本体の開口を覆うように配置された屋根型ユニットと、を備え、ゴミ箱本体の開口の真上離隔位置に屋根型ユニットが配置されて形成される間隙はゴミ箱本体の略全周に渡って設けられており、この全周間隙がゴミの投入間隙とされ、さらに、屋根型ユニットの上面側に太陽光パネルを設置し一体化したことから、ゴミ箱本体の開口を覆ってゴミ箱本体内に雨水が入るのを防止できる屋根型ユニットに、クリーンエネルギーを供給できる太陽光パネルを一体化しているので、環境にほとんど悪影響を与えることなく種々の装置等に電源供給を行うことができるとともに、設置場所等の制約を受けることがない。その結果、ゴミ箱に有用な機能を付加してゴミ箱の高付加価値化を実現でき、環境保護に貢献できる。さらに、ゴミ箱本体に複雑な構成を用いることなく全体的に簡単な構成であり、屋根型ユニットを設置するだけで雨除けと、ゴミの投入間隙の形成と、太陽光パネルの支持と、を同時に実現でき実用性が高い。また、ゴミ箱本体の構成が限定されにくいので、太陽光パネルや各種装置等を付加した構成であっても、ゴミ箱本体を様々なデザインを採用したり、竹材等の自然素材を有効に利用したりして、自由な設計が可能となる。さらに屋根型ユニットをゴミ箱本体から着脱できるので、ゴミ箱本体の内部空間に溜まったゴミの外部への除去やメンテナンス等も簡単に行なえる。
【００１６】
また、ゴミ箱本体から立ち上がる１個又は複数の支持脚により屋根型ユニットが支持されており、該支持脚と屋根型ユニットとの接続部が枢着部とされて屋根型ユニット全体が回動可能となっている構成とすることにより、屋根型ユニットを所定の離隔位置に簡単な構造で確実に支持できるとともに、必要に応じて屋根型ユニットを回動させて、ゴミの投入間隙を確保しつつ、該投入間隙の開き具合及び太陽光パネルの向きを変更調整することができ、実用性をより向上させ得る。
【００１７】
また、屋根型ユニットは、平板状の基盤を含み、支持脚との枢着部を介して基盤の角度を調整する角度調整機構を形成する構成とすることにより、簡単な構成で屋根型ユニットを具体的に実現でき、必要に応じて角度調整機構を介して基盤を回動させて、該投入間隙の開き具合を調整及び太陽光パネルの向きを変更調整することができ、実用性をより向上させ得る。
【００１８】
また、ゴミ箱本体は、周囲を囲む周壁が複数の竹材で形成された構成とすることにより、大量に存在する自然の竹素材を有効に利用でき低コストで製造できるとともに、竹独特の質感、意匠感と太陽光パネルを配置した屋根型ユニットの意匠とによる自然的な要素と人工的な要素とが合わさった独特な意匠感のゴミ箱を製造できる。さらに、例えば、自然公園や庭園、城、神社、仏閣等の日本特有の観光地、景観等に良好に調和して景観等を損ないにくいゴミ箱を実現できる。
【００１９】
また、ゴミ箱本体は、底壁を有さず、周壁で上下両端開口の筒状に構成された筒状外郭体と、筒状外郭体の内部空間に配置されるゴミ袋と、を含み、ゴミ袋は、袋口を開いた状態で筒状外郭体に着脱自在に係止され、該筒状外郭体から取外し分離可能とした構成とすることにより、筒状外郭体は上下両端側を開口しているので全体的に簡単な構造で軽量化できるとともに、ゴミ袋を容易に取り外し分離して捨てることができるうえ、上下のいずれの開口からでも内部空間に容易に手を出し入れして作業できるので清掃やメンテナンス等を簡便に行なえる。さらに、ゴミ袋でゴミを収容するので、外側の筒状外郭体には自由なデザインを施すことができ、設置場所や好み等に応じてバラエティーに富んだ製作を行える。
【００２０】
また、ゴミ箱本体の開口縁の内部に、支持脚を着脱嵌合状に受ける受部が設けられた構成とすることにより、支持脚を受部に対して着脱させて、屋根型ユニットの着脱構成を簡単構造で低コストで実現できる。
【００２１】
また、屋根型ユニットは、ゴミ箱本体に近付いた投入者を感知する人感知器と、人感知器が投入者を感知した際に、該投入者に対してゴミ箱本体へ投入すべき分別ゴミの種類を音声で報知する分別報知器と、が一体的に組み付けられた構成とすることにより、太陽光パネルで発電した電気で人感知器及び分別報知器を駆動させて、例えば、ゴミの投入前に可燃物用のゴミ箱や不燃物用のゴミ箱等であることを音声で伝え知らせ、太陽光パネルで発電した電気を有用に利用して装置を駆動して、ゴミの分別回収を促進でき、より一層の環境保護に寄与できる。さらに、屋根型ユニットに一体的に組み付けるので、ゴミ箱本体の構成に限定されることなく、太陽光パネルとの電気配線等を含む装置構造を比較的簡単に構成して製造しやすいとともに、人感知器や分別報知器がゴミに触れて汚れたり壊れたりしにくいうえ、メンテナンス等も簡単に行える。
【００２２】
また、屋根型ユニットは、ゴミ箱本体周辺の明るさを感知する光感知器と、周辺が暗い際に光感知器の感知によりゴミ箱本体を照明する照明装置と、が一体的に組み付けられた構成とすることにより、例えば太陽光パネルで発電した電気をバッテリー等に充電しておきその電力を利用して電気で光感知器及び照明装置を駆動させ、夜間等に自動的に照明装置でゴミ箱本体を明るく照らしてゴミ箱本体及びゴミの投入間隙の位置を容易に把握でき、暗闇にゴミを放置する行為の低減に寄与できる。また、例えば竹等でゴミ箱のライトアップ効果により、独特な意匠感を持たせることができる。さらに、屋根型ユニットに一体的に組み付けるので、ゴミ箱本体の構成に限定されることなく、太陽光パネルやバッテリー等との電気配線等を含む装置構造を比較的簡単に構成して製造しやすいとともに、光感知器や照明装置等がゴミに触れて汚れたり壊れたりしにくいうえ、メンテナンス等も簡単に行える。
【図面の簡単な説明】
【００２３】
【図１】本考案の実施形態に係るゴミ箱装置の斜視図である。
【図２】図１のゴミ箱装置の分解斜視図である。
【図３】図１のゴミ箱装置の正面図である。
【図４】図１のゴミ箱装置の側面図である。
【図５】図１のゴミ箱装置の平面図である。
【図６】図３のゴミ箱装置のＡ−Ａ線断面図である。
【図７】図６の一部拡大図である。
【図８】図３のゴミ箱装置のＢ−Ｂ線断面図である。
【図９】図１のゴミ箱装置の基盤の角度調整機構の作用説明図である。
【考案を実施するための形態】
【００２４】
以下、添付図面を参照しつつ本考案のゴミ箱装置の実施の形態について説明する。本考案のゴミ箱装置は、ゴミ箱本体と太陽光パネルを設置した屋根型ユニットを有し、ゴミ箱本来のゴミ収容機能の他に付加機能を備えたものである。図１ないし図８は、本考案に係るゴミ箱装置の一実施形態を示している。図１、図２に示すように、本実施形態において、ゴミ箱装置１０は、ゴミ箱本体１２と、ゴミ箱本体１２と別体に形成され太陽光パネル１６が一体化された屋根型ユニット１４と、を備えている。
【００２５】
図１、図２、図６、図８に示すように、ゴミ箱本体１２は、上面側を開口１８しており周囲を囲まれた内部空間Ｓにゴミを収容する。本実施形態では、ゴミ箱本体１２は、例えば、前後左右に縦に立てて配置される４つの周壁２０ａ〜２０ｄを有し、上下両端側を開口しつつ縦長矩形筒状に構成された筒状外郭体２７を含み、内部に直方体状の内部空間Ｓが形成されるとともに上面側に形成された矩形状の開口１８を介して外部と連通されている。筒状外郭体２７の底面側は、底壁が設けられておらず開口されているが、例えば地面や床面等の設置面上に設置された際には地面等により閉鎖される。なお、図において前後方向をＦＢ、左右方向をＲＬとしている。ゴミ箱本体１２の筒状外郭体２７は、例えば、木製直材等からなる枠材２２ａ〜２２ｅを縦横に組み付けて直方体枠に構成された骨格フレーム２２の４つの周側面に、竹を割って細幅板状に加工された複数の竹材２４を並列して周壁２０ａ〜２０ｄが形成されている。フレーム２２は、縦に４本配置されるＬ字状の縦材２２ａと、矩形枠に構成されて上端、下端及び中間位置に配置される上縁枠材２２ｂ、下縁枠材２２ｃ、中間枠材２２ｄと、が組み付けられている。さらに、上縁枠材２２ｂの真下に該上縁部材と当接した位置に補助枠材２２ｅが取り付けられている。補助枠材２２ｅは、該上縁枠材２２ｂより若干内側に突出する幅で設けられ、後述のフック部材３２の支持及び支持脚３８の落下防止を兼ねている。周壁２０ａ〜２０ｄを形成する複数の竹材２４は、互いに若干の隙間２６をあけて配置され、該竹材の両端部又は中間位置をフレーム２２に固定している。図３にも示すように、前後（ＦＢ）に対向する２つの周壁２０ａ、２０ｃでは複数の竹材２４が縦に配置されさらに上下端部側に横に配置されて形成されている。一方、図４にも示すように、左右（ＲＬ）に対向する他の２つの周壁２０ｂ、２０ｄでは複数の竹材２４全てが横に配置されて形成されている。なお、全周壁で各竹材を同じ配置構成としてもよい。図２、図６に示すように、ゴミ箱本体１２の内部空間Ｓ内には、例えば、透明のビニル袋からなるゴミ袋２８が袋口を開いて開口１８側に臨ませた状態で設置され、該内部空間Ｓにおいてはゴミ袋５２内にゴミを収容する。すなわちゴミ箱本体１２は、外側を取り囲んでデザイン等を自由に施せる筒状外郭体２７と、内側に配置されてゴミを収容するゴミ袋２８とを含む。ゴミ袋２８は、ゴミ箱本体１２の開口１８より一回り小さな大きさの矩形枠状の袋口保持枠３０により袋口を開いた状態で保持され、筒状外郭体２７の上部寄り位置の補助枠材２２ｅに内側向きに設けられたフック部材３２等の係止手段を介して着脱可能に係止される。必要に応じて、ゴミ袋２８は外郭体２７から取外して分離させることができ、ゴミの処分や清掃等のメンテナンスを行える。なお、ゴミ袋を袋口保持枠を介さずに袋口を開いた状態でフック部材３２に直接係止させるようにしてもよい。なお、ゴミ箱本体は上記した構造に限らず、例えば周りを囲む周壁と底面側を閉鎖する底壁とを有する構造としてもよい。ゴミ箱本体に底壁を設けると、例えば、内側のゴミ袋が不意に破れてゴミや汚水が漏れた場合でもゴミ等を底壁で受け止めて地面等を汚すのを防止できる。また、ゴミ箱本体の内側にゴミ袋を設置した態様でもゴミ袋を設置しない態様でもどちらの態様でも使用することができる。さらに、底壁により重量化するがゴミ箱本体の強度を向上しうる。
【００２６】
図２、図６、図８に示すように、ゴミ箱本体１２の開口１８を形成する上縁枠材２２ｂには、後述の屋根型ユニット１４を支持する２個の支持脚３８を着脱嵌合状に受ける２個の受部３４が形成されている。受部３４は、例えば、上縁枠材２２ｂの左右方向ＲＬに対向する枠材の内側面に、その中間位置に１個ずつ設けられている。受部３４は、上縁枠材２２ｂとの間に支持脚３８の挿入孔を形成する取付けフランジ付きのコ字状金具３６を含む。コ字状金具３６は、補助枠２２ｅの幅よりも内側に突出しないように設けられ、ゴミ袋と袋口保持枠３０との出し入れの際に邪魔にならないようになっている。
【００２７】
図１、図２、図５に示すように、屋根型ユニット１４は、ゴミ箱本体１２に着脱可能に支持され、ゴミ箱本体１２の開口１８の真上の離隔位置に配置されて、平面視ではゴミ箱本体１２の開口１８を覆うように配置されており、上面側に太陽光パネル１６が一体的に設置されている。本実施形態では、屋根型ユニット１４は、例えば、ゴミ箱本体１２から立ち上がる２個の支持脚３８を介して真上離隔位置に支持されており、該屋根型ユニット１４とゴミ箱本体の開口１８との間にはゴミ箱本体の略全周に亘って間隙が形成される。この全周間隙が投入間隙４０となり、投入間隙４０を介して開口１８からゴミ箱本体１２内部（ゴミ袋２８内）へゴミが投入される。屋根型ユニット１４は、ゴミの投入間隙４０を常に確保しつつ、ゴミ箱本体の開口１８を覆って雨水が入るのを防止する屋根として機能するとともに、太陽光パネル１６及び太陽光パネルで発電された電気を利用して作動する種々の作動装置（５４、５６、６２、６４）等の設置手段または支持手段として一体ユニット化する。すなわち、屋根型ユニット１４は、ゴミの投入間隙４０の形成と、ゴミ箱本体への雨侵入防止と、太陽光パネル１６及び作動装置の支持手段と、を同時に具体的に実現できる。
【００２８】
本実施形態では、図３、図４にも示すように、屋根型ユニット１４は、例えば、平板状の基盤４２を含む。基盤４２は、例えば、硬質樹脂で形成され、平面視でゴミ箱本体の上面開口１８の開口面積より若干大きい略矩形状の平板体からなるとともに、前後方向ＦＲに対向する部分を下方に略Ｌ字状に曲折されて垂壁部４３を形成し、全体として変形コ字板状に形成されている。基盤４２の上面側には、例えば薄型でフレキシブルなアモルファスシリコン型太陽電池から構成される太陽光パネル１６が設置され一体化されている。なお、太陽光パネル１６は、太陽電池の発電部分が基盤の中央部分に設置されているが、例えば、略全面に亘って設置されていてもよい。図６、図７に示すように、基盤４２の下面側の中央位置には太陽光パネル１６で発電した電気を蓄電するバッテリー４４が一体的に固定されている。バッテリー４４には後述の各装置の制御盤６０が電気的に接続され、それらはカバー４５で被覆されている。図２、図４に示すように、基盤４２の下面側であって、バッテリー４４を挟んだ左右寄り位置には、対向する２個の軸受片４６が下方に突出して一体的に固定されている。軸受片４６は、それぞれ支持脚３８の上端部と横軸４８を介して枢支連結されて枢着部５０を構成している。
【００２９】
屋根型ユニット１４を支持する支持脚３８は、例えば、硬質樹脂等で形成された縦長柱体からなり、ゴミ箱本体１２に設けられた２個の受部３４にそれぞれ下端を着脱嵌合状に係着されてゴミ箱本体から真っ直ぐに立ち上がった状態で支持される。支持脚３８の上端側は、上述のように枢着部５０により基盤４２と接続されており、図９に示すように、支持脚３８と基盤４２との枢着部５０を介して該基盤４２の角度調整機構５２を形成している。すなわち角度調整機構５２は２個の枢着部５０を含む。したがって、基盤４２全体すなわち屋根型ユニット１４全体がゴミ箱本体直上の所定の離隔位置に支持されつつ、枢着部５０を介して自在に回転できる結果、設置場所等に応じて太陽光パネル１６の角度を太陽に向けて変更設定できると同時に、投入間隙４０の開口度合いを変更調整することができ、使い勝手が良く実用性を向上しうる。なお、図９では、角度調整機構の作用説明のために一部構成を省略して示している。
【００３０】
図７に示すように、屋根型ユニット１４には、人感知器５４と分別報知器５６とが一体的に組み付けられ、太陽光パネルで充電されるバッテリー４４に電気的に接続されており電気供給を受けて作動する。人感知器５４は、例えば赤外線検出センサ等からなり、基盤４２の前側（正面側）の垂壁部４３に設置され、投入者がゴミ箱本体に近付いてくると感知信号を分別報知器５６に送る。分別報知器５６は、例えば、スピーカ５８と制御盤６０に形成される音声記憶及び音声出力回路を有しており、基盤４２の下面側の中央位置のバッテリー４４の配置近傍に設置されている。予め制御盤６０の音声記憶回路に「ありがとうございます。可燃物（又は不燃物、空き瓶、空きカン等）はこちらです」や「可燃物用（（又は不燃物用、空き瓶用、空きカン用等））のゴミ箱です」等その他任意のゴミ箱本体１２へ投入すべき分別ゴミの種類を投入者へ報知するメッセージを記憶させておき、人感知器５４が投入者を感知した際に、該記憶された音声をスピーカ５８から出力して投入者に知らせる。なお、音声としてはメッセージとともに音楽等を流してもよく、投入者はよりゴミ箱に対するフレンドリーな感じを増し、分別したゴミ投入の促進を期待できる。
【００３１】
さらに、屋根型ユニット１４には、光感知器６２と照明装置６４とが一体的に組み付けられ、バッテリー４４に電気的に接続されており、電気供給を受けて作動する。光感知器６２は、例えば、フォトダイオード、フォトトランジスタ、ＣｄＳセル等を利用して明るさ（暗さ）又は光量を感知する光センサ等からなり、基盤４２の上面側に設置され、周囲の明るさに応じた感知信号を照明装置６４に送る。照明装置６４は、ＬＥＤ（発光ダイオード）ライト６６と制御盤６０に形成され発光ライト６６のオンオフ制御を行う回路を有しており、基盤４２の下面側のバッテリー４４の配置位置近傍に設置されている。発光ダイオード６６は、その照光方向が下方向及び横方向に設定され、ゴミ箱本体１２を開口１８側から内部空間Ｓに向けるとともに投入間隙４０を介して外部側に向けて照明するように設けられている。そして、周辺が暗くなった際には光感知器６２の感知信号によりＬＥＤライトをオンしてゴミ箱本体１２を明るく照らす。照明装置の照明の光は、ゴミ箱本体の周壁を形成する複数の竹材の隙間２６からも外部に漏れる。したがって、夜間等の暗い場合でも、ゴミ箱装置１０の位置及びその投入間隙４０の位置を簡単に把握することができると同時に、竹材を使用したゴミ箱本体のライトアップ効果により独特な意匠感を有することができる。
【００３２】
次に、本考案に係るゴミ箱装置１０の作用について説明する。本考案に係るゴミ箱装置１０を、例えば、公園等の屋外の太陽光が当たる場所に設置する。図９に示すように、例えば太陽の位置や投入間隙４０の開口度合い、人感知器５４の向き等の設置条件を考慮して屋根型ユニットの基盤４２の角度を支持脚３８との枢着部５０を介して調整する。昼間等の明るい際には、太陽光パネルが太陽光を受けて発電し、その電力はバッテリー４４に蓄電される。ゴミを捨てに投入者がゴミ箱装置１０に近付いてくると、人感知器５４により投入者を感知して分別報知器５６により、例えば、「ありがとうございます。可燃物はこちらです」等のゴミを分別するためのメッセージ音声を出力する。これにより、投入者はゴミ箱に対してフレンドリーな感じを受けるとともに、分別したゴミの回収の促進を期待できる。また、例えば、日が暮れて周囲が暗くなってきたら、光感知器６２の感知信号により照明装置６４がゴミ箱本体１２を明るく照らす。したがって、夜間等でもゴミ箱装置の位置を簡単に把握でき、暗闇へのゴミの放置等を良好に防止でき、より一層環境美化に貢献できる。
【００３３】
さらに、ゴミ箱装置１０を上記構成とすることにより、雨を防ぐような屋根型ユニットに、太陽光パネル１６及びその発電電力を蓄電するバッテリー４４、さらに、その発電電力を利用して作動させる人感知器、分別報知器、光感知器、照明装置等の各作動装置構成部材を一体化させたので、太陽光パネル１６を簡単な構成で具体的に配置構成を実現でき、ゴミ箱の有用な高付加価値化を図ることができる。さらに、各構成部材がゴミに触れて汚れたり壊れたりしにくく、メンテナンスも簡単に行なえる。また、ゴミ箱本体を簡素な構成としたり、本実施形態のように竹材を用いたデザイン性の高いゴミ箱本体を自由に構成でき、実用性を向上できる。
【００３４】
以上説明した本考案のゴミ箱装置は、上記した実施形態のみの構成に限定されるものではなく、実用新案登録請求の範囲に記載した本考案の本質を逸脱しない範囲において、任意の改変を行ってもよい。
【産業上の利用可能性】
【００３５】
本考案のゴミ箱装置は、観光地、行楽地、庭園、公園、運動場等の公共施設、道路等の屋外、その他太陽光が当たる場所に設置される。なお、太陽光に限らず室内灯の光等が当たる建物内に設置してもよい。
【符号の説明】
【００３６】
１０    ゴミ箱装置
１２    ゴミ箱本体
１４    屋根型ユニット
１６    太陽光パネル
１８    開口
２４    竹材
２７    筒状外郭体
２８    ゴミ袋
３４    受部
３８    支持脚
４０    投入間隙
４２    基盤
５０    枢着部
５２    角度調整機構
５４    人感知器
５６    分別報知器
６２    光感知器
６４    照明装置
Ｓ    内部空間
【図１】
0003151859.tif 000003
【図２】
0003151859.tif 000004
【図３】
0003151859.tif 000005
【図４】
0003151859.tif 000006
【図５】
0003151859.tif 000007
【図６】
0003151859.tif 000008
【図７】
0003151859.tif 000009
【図８】
0003151859.tif 000010
【図９】
0003151859.tif 000011